(57)【特許請求の範囲】
【請求項１】
登録商品についての合計金額と入力された預り金額とから釣銭金額を算出可能であるとともに当該釣銭金額のうちの硬貨分金額に相当する金額情報を硬貨払出装置に送信可能な商品販売データ処理装置において、前記釣銭金額のうちの紙幣分金額の一部または全部に相当する金額の硬貨を払出すための硬貨払出情報を生成可能に形成され、当該硬貨払出情報を前記硬貨払出装置に送信可能に形成され、
前記硬貨払出情報が所定の設定紙幣金額に相当する金額の硬貨の払出情報として設定可能に形成され、
締め操作終了後の所定の設定タイミングから算定した経過時間が設定経過時間外であると判別された場合に前記硬貨払出情報を無効とするように形成されている商品販売データ処理装置。
【発明の詳細な説明】
【０００１】
【発明の属する技術分野】
本発明は、登録商品についての合計金額と入力された預り金額とから釣銭金額を算出可能であるとともに当該釣銭金額のうちの硬貨分金額に相当する金額情報を硬貨払出装置に送信可能な商品販売データ処理装置に関する。
【０００２】
【従来の技術】
例えば、図１に示すように電子キャッシュレジスタ１０からなる商品販売データ処理装置は、硬貨の払出機能を有する硬貨払出装置１００と接続されており、図７に示す商品登録機能、会計処理機能を有する。
【０００３】
すなわち、入力手段（スキャナ７１）を用いて商品データ（品名、単価等）が入力されると、制御部３０は売上ファイルに商品登録する（図７のＳＴ３０）。また、買上商品についての個数入力や値割引処理等の各種処理も商品登録業務において実行することができる。顧客買上商品の全てについて商品登録した後に、オペレータが、例えば、小計キーを押下操作（ＯＮ）すると（ＳＴ３１のＹＥＳ）、会計処理が開始され、登録商品についての合計金額Ｋｇ（例えば、１５００円）が算出される（ＳＴ３２）。当該合計金額（例えば、１５００円）は、表示器（６１、６５）に表示される。
【０００４】
顧客は、表示された合計金額に相当する以上の金額（例えば、５０００円紙幣）をオペレータに支払う。オペレータにより預り金額（例えば、５０００円）を入力されると（ＳＴ３３のＹＥＳ）、合計金額（例えば、１５００円）とともに入力された預り金額（例えば、５０００円）も表示器（６１、６５）に表示される。
【０００５】
オペレータが表示された預り金額を確認後に、１取引終了宣言としての締め操作として、例えば、預り／現計キーを押下操作（ＯＮ）すると（ＳＴ３４のＹＥＳ）、釣銭金額（３５００円）が算出（Ｋｔ＝Ｋａ−Ｋｇ）され（ＳＴ３５）、かつ表示器（６１、６５）に表示される。
【０００６】
すると、ドロワ７６は自動開放（オープン）され（ＳＴ３６）、釣銭金額（例えば、３５００円）のうち硬貨分金額（例えば、５００円）がある場合（ＳＴ３７のＹＥＳ）、接続された硬貨払出装置１００に当該硬貨分金額（例えば、５００円）を払出す旨を含む金額情報が送信される（ＳＴ３８）。
【０００７】
硬貨払出装置１００では、金額情報を受信すると（図８のＳＴ４０のＹＥＳ）、当該金額情報に対応する金額（例えば、５００円）に相当する硬貨を払出可能な場合（ＳＴ４１のＹＥＳ）、当該金額情報に対応する金額に相当する硬貨（例えば、５００円硬貨１枚）を払出すことができる（ＳＴ４２）。当該金額情報に対応する金額の硬貨を払出不可能な場合（ＳＴ４１のＮＯ）、エラー処理される（ＳＴ４３）。なお、硬貨の払出に際しては、高額硬貨が優先的に払出されるように形成されている。
【０００８】
かかる釣銭金額（例えば、３５００円）のうち硬貨分金額（例えば、５００円）について硬貨払出装置１００から払出が実行された後に、レシートが発行される（図７のＳＴ３９）。オペレータは、ドロワ７６から釣銭金額（例えば、３５００円）のうち硬貨分金額（例えば、５００円）を除いた紙幣分金額（例えば、３０００円）に相当する金額の紙幣（例えば、１０００円紙幣３枚）を取り出して、硬貨払出装置１００から払出された硬貨分金額に相当する金額の硬貨（例えば、５００円硬貨１枚）と、発行されたレシートとともに顧客に手渡す。かくして会計処理が終了し、顧客のチェックアウトとなる。すなわち、複雑な商品登録や会計処理等を簡単な操作で正確かつ迅速に行えるとともに、顧客にとっても安心した買物ができる。
【０００９】
【発明が解決しようとする課題】
ところで、かかる釣銭金額（例えば，３５００円）のうち紙幣分金額（例えば、３０００円）をドロワ７６内より払出す際に、ドロワ７６内に紙幣分金額を払出すための釣銭用紙幣が不足しているため、払出しが行えない場合がある。
【００１０】
かかる場合、オペレータは他のレジや事務所等より釣銭用紙幣を補充し、担当場所に戻り、釣銭の受取りを待つ顧客に釣銭金額（例えば、３５００円）の紙幣分金額に相当する金額の紙幣（例えば、１０００円紙幣３枚）を払出す。
【００１１】
すなわち、オペレータが紙幣を補充している時間は登録業務が停止し、かつ顧客を待たせなければならないため顧客サービスが低下する。また、店側にとって硬貨に比べ高額な紙幣を釣銭準備金として多数枚用意することは、資金負担を考慮すると、好ましくなく、さらに、安全管理上も好ましいものではない。
【００１２】
本発明の目的は、円滑かつ迅速な顧客のチェックアウトを実現可能にする商品販売データ処理装置を提供することにある。
【００１３】
【課題を解決するための手段】
請求項１の発明は、登録商品についての合計金額と入力された預り金額とから釣銭金額を算出可能であるとともに当該釣銭金額のうちの硬貨分金額に相当する金額情報を硬貨払出装置に送信可能な商品販売データ処理装置において、前記釣銭金額のうちの紙幣分金額の一部または全部に相当する金額の硬貨を払出すための硬貨払出情報を生成可能に形成され、当該硬貨払出情報を前記硬貨払出装置に送信可能に形成され、前記硬貨払出情報が所定の設定紙幣金額に相当する金額の硬貨の払出情報として設定可能に形成され、締め操作終了後の所定の設定タイミングから算定した経過時間が設定経過時間外であると判別された場合に前記硬貨払出情報を無効とするように形成されている商品販売データ処理装置である。
【００１４】
かかる発明では、釣銭金額（例えば、３５００円）のうち硬貨分金額（例えば、５００円）については、従来の場合と同様に金額情報が硬貨払出装置に送信される。そして、当該釣銭金額（例えば、３５００円）のうち紙幣分金額（例えば、３０００円）についてはドロワ内に当該紙幣分金額に相当する金額の紙幣（例えば、１０００円紙幣３枚）があるときはそれがオペレータにより払出される。
【００１５】
しかし、当該釣銭金額の紙幣分金額（例えば、３０００円）についての不足が生じる場合、紙幣分金額（例えば、３０００円）を硬貨で払出すための硬貨払出情報が生成され、当該硬貨払出情報は硬貨払出装置に送信される。硬貨払出装置では、受信した硬貨払出情報に従って、当該紙幣分金額（例えば、３０００円）に相当する金額の硬貨（例えば、５００円硬貨６枚）が払出される。なお、払出金額は当該紙幣分金額の全部でもよいし、一部でもよい。
【００１６】
したがって、本発明の商品販売データ処理装置によれば、釣銭用紙幣が不足する場合においても紙幣を補充することなく釣銭金額の払出しが可能である。すなわち、客は紙幣の補充を待たなくてもよく、オペレータは登録業務を停止させることなく精算を終了させることができる。結果として、円滑かつ迅速な顧客のチェックアウトが実現可能である。
【００１７】
また、硬貨払出情報を設定紙幣金額（例えば、１０００円）についての払出情報として設定することができる。そして、当該硬貨払出情報が硬貨払出装置に送信されることによって、当該硬貨払出装置から設定紙幣金額（例えば、１０００円）に相当する金額の硬貨（例えば、５００円硬貨２枚）が払出される。
【００１８】
したがって、本発明の商品販売データ処理装置によれば、設定紙幣金額単位での払出が可能であるため、ドロワ内にある釣銭用紙幣を払出しつつ不足分を硬貨で代用して払出することができるとともに、釣銭準備金を効率良く運用することができる。
【００１９】
また、硬貨払出情報について、締め操作後の所定の設定タイミング（例えば、預り／現計キーの操作後）から算定した経過時間（例えば、１分）が設定経過時間（例えば、３０秒）を越えている場合には、当該硬貨払出情報が無効（例えば、送信不可）とされるように形成されている。
【００２０】
したがって、本発明の商品販売データ処理装置によれば、店員が誤って操作したために余剰の硬貨が払出されてしまうような事態を防止し、さらに当該硬貨が搾取されてしまうような不正も防止することができる。
【００２１】
【発明の実施の形態】
以下本発明の実施形態について図面を参照して説明する。
【００２２】
（第１の実施形態）
本商品販売データ処理装置は、図１に示すごとく、基本的構成が従来の場合と同様な電子キャッシュレジスタ１０とされ、硬貨の払出機能を有する硬貨払出装置１００が通信用ケーブル２００を介して接続されている。また、基本的機能は従来の場合と同様に図７に示すようなＳＴ３０からＳＴ３９の商品登録機能および会計処理機能が実行可能に形成されている。
【００２３】
本実施形態における商品販売データ処理装置の特徴としては、指示キー４３Ｓの操作により釣銭金額のうちの紙幣分金額の一部または全部に相当する金額の硬貨を払出すための硬貨払出情報を生成可能に形成され、かつ当該硬貨払出情報を前記硬貨払出装置１００に送信可能に形成されている。すなわち、電子キャッシュレジスタ１０を基本構成とすることで、従来より既存の入力装置（４３）と硬貨払出装置（１００）とを利用することができる。なお、本実施形態においては、紙幣分金額に関する硬貨払出情報は、従来例において説明した硬貨分金額に関する金額情報の送信処理を利用して硬貨払出装置に送信されるように形成されているが、各々が別処理によって送信されてもよいものとする。
【００２４】
図１において、電子キャッシュレジスタ１０は、標準入力装置（キーボード４３）を含むパソコン２０に、外部入出力装置を接続してなる。
【００２５】
パソコン２０は、マザーボードにＣＰＵ３１、ＲＯＭ３２、ＲＡＭ３３および時計回路（ＲＴＣ…リアルタイムクロック）３５を実装した構成の制御部３０に、ＨＤＤ（ハードディスク装置）４１、ＦＤＤ（フレキシブルディスク装置）４２、上記キーボード４３、入出力ポート（Ｉ／Ｏ）４６・４７および他の電子キャッシュレジスタ１０とデータ通信回線網（ＬＡＮ）４５を介してデータ通信するための通信用インターフェイス（Ｉ／Ｆ）４４等を接続してなる。
【００２６】
入出力ポート４６にはその他の入力装置を形成するスキャナ（ＳＣＮ）７１、カードリーダライター（Ｒ／Ｗ）７３が接続され、入出力ポート４７にはレシート発行用プリンタ（ＰＮＴ）７５および自動開放型のドロワ（ＤＲＷ）７６が接続されている。
【００２７】
さらに、入出力ポート４７には、硬貨の払出機能を有する硬貨払出装置１００が通信用ケーブル２００を介して接続されている。硬貨払出装置１００は、制御部３０から通信用ケーブル２００を介して送信された金額情報（または硬貨払出情報）により、指示された金額相当の硬貨を払出可能に形成されている。例えば、３５０円を払出す旨の金額情報を受信すると、硬貨払出装置１００は、１００円硬貨３枚と５０円硬貨１枚とを払出す。なお、硬貨の払出しに際しては、高額硬貨が優先的に払出されるように形成されている。
【００２８】
また、制御部３０には、表示手段を構成するオペレータ用表示器（ＦＩＵ）６１および客用表示器（ＢＩＵ）６５が表示用コントローラ５０を介して接続されている。また、制御部３０には、各コントローラ（ＣＯＮＴ）５１、５２を介してオペレータ用表示器（ＦＩＵ）６１に対応するオペレータ用タッチパネル（ＦＴＰ）６２および客用表示器（ＢＩＵ）６５に対応する客用タッチパネル（ＢＴＰ）６６が接続されている。
【００２９】
ＨＤＤ（メモリ）４１には、図示省略した商品ファイル、売上ファイル等の各種ファイルの他に、登録業務遂行制御プログラム等の各種プログラムが設けられている。各種ファイルおよび各種プログラムは、ＲＡＭ３３に展開されて使用される。
【００３０】
さて、図２に示すように、かかる電子キャッシュレジスタ１０からなる商品販売データ処理装置を用いた登録業務においてＳＴ１０からＳＴ１５までの機能は図７に示す従来の場合（図７のＳＴ３０からＳＴ３５）と同様に実行されるので説明を省略する。すなわち、オペレータの預り／現計キーの押下操作により締め操作が行われると（図２のＳＴ１４）、登録商品に係る合計金額Ｋｇ（例えば、１５００円）と、入力された預り金額Ｋａ（５０００円）とから釣銭金額Ｋｔ（例えば、３５００円）が算出される（ＳＴ１５）。
【００３１】
釣銭金額Ｋｔ（例えば、３５００円）が算出された後に、制御部３０は、当該釣銭金額Ｋｔ（例えば、３５００円）を硬貨分金額Ｋｔｃ（例えば、５００円）と紙幣分金額Ｋｔｓ（例えば、３０００円）とに分別する（ＳＴ１６）。硬貨分金額Ｋｔｃ（例えば、５００円）および紙幣分金額Ｋｔｓ（例えば、３０００円）はＲＡＭ３３に一時記憶（登録）され、ドロワ７６は自動開放（オープン）される（ＳＴ１７）。
【００３２】
この後に、硬貨分金額Ｋｔｃ（例えば、５００円）と紙幣分金額Ｋｔｓ（例えば、３０００円）とについての払出に関する処理が行われる。以下において、硬貨分金額Ｋｔｃ（例えば、５００円）と紙幣分金額Ｋｔｓ（例えば、３０００円）の払出処理について、図３を用いて説明する。
【００３３】
前記硬貨分金額Ｋｔｃ（例えば、５００円）の払出については、まず硬貨分金額Ｋｔｃ（例えば、５００円）の支払いが必要か否か判断が行われ（図３のＳＴ１８）、必要な場合（ＳＴ１８のＹＥＳ）には硬貨分金額Ｋｔｃ（例えば、５００円）の支払いの為の処理が行われる（ＳＴ１９、２４、２５）。
【００３４】
すなわち、前記想定事例は釣銭金額Ｋｔについて硬貨分金額Ｋｔｃ（例えば、５００円）があるので（ＳＴ１８のＹＥＳ）、制御部３０は、ＲＡＭ３３より硬貨分金額Ｋｔｃ（例えば、５００円）を読み込み（ＳＴ１９）、金額情報が生成される。当該金額情報は、硬貨払出装置１００に硬貨分金額Ｋｔｃ（例えば、５００円）の払出指示として送信される（ＳＴ２４）。
【００３５】
すると、硬貨払出装置１００は、通信ケーブル２００を介して受信した当該金額情報に従って、硬貨分金額Ｋｔｃ（例えば、５００円）に相当する金額の硬貨（例えば、５００円硬貨１枚）を払出す（図８のＳＴ４２）。オペレータは、払出された硬貨分金額Ｋｔｃに相当する金額の硬貨（例えば、５００円硬貨１枚）を顧客に手渡す。
【００３６】
そして、前記硬貨分金額Ｋｔｃ（例えば、５００円）の支払いが終了すると、前記紙幣分金額Ｋｔｓ（例えば、３０００円）の支払いが必要か否か判断が行われ（図３のＳＴ２５）、不要な場合には（ＳＴ２５のＮＯ）、レシートが発行されて（ＳＴ２６）、会計処理は終了する。
【００３７】
ここでは、前記紙幣分金額Ｋｔｓ（例えば、３０００円）の支払いが必要と判断されるため（ＳＴ２５のＹＥＳ）、ＳＴ１８に戻り、ここからＳＴ２０に分岐し、紙幣分金額Ｋｔｓ（例えば、３０００円）の支払いの為の処理を行う。
【００３８】
まず、前記紙幣分金額Ｋｔｓ（例えば、３０００円）についての払出が済んでいないため（ＳＴ２０のＮＯ）、オペレータは、紙幣分金額Ｋｔｓ（例えば、３０００円）についての払出を行うためにドロワ７６を確認する。
【００３９】
ドロワ７６内に紙幣分金額Ｋｔｓ（例えば、３０００円）相当の紙幣がある場合には、オペレータは紙幣でその支払いを行う。この場合には、後述する指示キー４３Ｓは操作されないため（ＳＴ２１のＮＯ）、ＳＴ２３を経由して、レシートが発行される（ＳＴ２６）。
【００４０】
このとき、オペレータ用表示器６１には後述するように紙幣分金額についての払出催促表示が成されているので（図４のＳＴ２７のＹＥＳ）、紙幣分金額Ｋｔｓ（例えば、３０００円）が支払われた旨をキー操作等により入力する（ＳＴ２８のＹＥＳ）。これにより、オペレータ用表示器６１に表示された紙幣分金額Ｋｔｓの払出催促の表示は消滅し（ＳＴ２９）、一連の会計処理は終了する。
【００４１】
また、ドロワ７６内に紙幣分金額Ｋｔｓ（例えば、３０００円）相当の紙幣がない場合には、オペレータは紙幣でその支払いができない。オペレータが紙幣分金額Ｋｔｓ（例えば、３０００円）に相当する金額の紙幣（例えば、１０００円紙幣３枚）がドロワ７６内において不足していると判断すると、顧客に硬貨で代用して払出す旨を伝え、顧客の承認のうえキーボード４３に配設された指示キー４３Ｓを操作（ＯＮ）する（図３のＳＴ２１のＹＥＳ）。
【００４２】
かかる指示キー４３Ｓの操作（ＯＮ）により、制御部３０は、ＲＡＭ３３に記憶されている紙幣分金額Ｋｔｓ（例えば、３０００円）を読み込み（ＳＴ２２）、紙幣分金額Ｋｔｓ（例えば、３０００円）を払出す旨の硬貨払出情報を生成する。当該硬貨払出情報は硬貨払出装置１００に送信される（ＳＴ２４）。
【００４３】
すると、硬貨払出装置１００は、硬貨分金額Ｋｔｃの払出の場合と同様に、紙幣分金額Ｋｔｓ（例えば、３０００円）に相当する金額の硬貨（例えば、５００円硬貨６枚）を全額払出す（図８のＳＴ４２）。
【００４４】
すると、レシートが発行され（ＳＴ２６）、オペレータは硬貨払出装置１００より払出された紙幣分金額Ｋｔｓに相当する金額の硬貨（例えば、５００円硬貨６枚）を確認しつつ、発行されたレシートとともに顧客に手渡す。これにより、一連の会計処理が終了し顧客のチェックアウトとなる。
【００４５】
すなわち、本装置は、釣銭金額の払出の際に、当該釣銭金額が硬貨分金額と紙幣分金額とに分別され、当該紙幣分金額に相当する金額の硬貨を払出すための硬貨払出情報を、指示キー４３Ｓの操作により生成可能に形成され、当該硬貨払出情報を硬貨払出装置１００に送信可能に形成されている。
【００４６】
したがって、本装置によれば、釣銭用紙幣が不足する場合においても補充することなく釣銭金額の払出しが可能である。すなわち、客は紙幣不足のために紙幣の補充を待たなくてもよく、オペレータは登録業務を停止させることなく清算を終了させることができる。結果として、円滑かつ迅速な顧客のチェックアウトが実現可能である。
【００４７】
また、釣銭用紙幣を硬貨で代用して払出すことを顧客が拒否することもあり得る。この場合には、指示キー４３Ｓを操作（ＯＮ）することができない。所定時間、指示キー４３Ｓが操作されない場合（ＳＴ２１のＮＯ）、オペレータ用表示器６１に紙幣分金額Ｋｔｓ（例えば、３０００円）の払出を催促する旨が表示され（ＳＴ２３）、レシートが発行される（ＳＴ２６）。係る場合、オペレータは、他のレジ等から紙幣分金額Ｋｔｓ（例えば、３０００円）に相当する紙幣（例えば、１０００円紙幣３枚）を補充して、当該紙幣ともに発行されたレシートを顧客に手渡す。
【００４８】
このとき、オペレータ用表示器６１には紙幣分金額についての払出催促表示が成されているので（図４のＳＴ２７のＹＥＳ）、紙幣分金額Ｋｔｓ（例えば、３０００円）が支払われた旨がキー操作等により入力されると（ＳＴ２８のＹＥＳ）、オペレータ用表示器６１に表示された紙幣分金額Ｋｔｓの払出催促の表示は消滅し（ＳＴ２９）、一連の会計処理は終了する。
【００４９】
すなわち、本装置は、紙幣分金額Ｋｔｓ（例えば、３０００円）がある場合、紙幣分金額Ｋｔｓの払出催促がオペレータ用表示器６１に表示され、かつ紙幣分金額Ｋｔｓの払出が完了した旨が入力されたことを条件にして、紙幣分金額Ｋｔｓの払出催促の表示は消滅するように形成されている。また、客用表示器６５にも払出が済んでいない旨を表示可能に形成されていることが望ましい。
【００５０】
したがって、本装置は、紙幣分金額の払出が済んでいないことをオペレータと顧客との双方で確認することができるため、より公正な取引による顧客サービスを提供することができる。
【００５１】
なお、指示キー４３Ｓは、登録業務において締め操作の実行機能を割り当てられたキー（例えば、預り／現計キーなど）と兼用することができる。すなわち、既設の入力装置で実現可能なうえ、例えば、預り／現計キーは置数キーに比べ大きい形状を成しているため、操作性が向上する。
【００５２】
なお、本装置はオペレータ用タッチパネルに指示キー４３Ｓと同機能のタッチボタンを形成し、オペレータのタッチ操作により前記硬貨払出情報を生成可能に形成されていてもよい。
【００５３】
なお、本実施形態においては、硬貨分金額Ｋｔｃと紙幣分金額Ｋｔｓについて硬貨分金額Ｋｔｃが先に払出される場合を説明したが、これに限定されるものではない。紙幣分金額Ｋｔｓが払出された後に硬貨分金額Ｋｔｃが払出されるように形成されていてもよい。
【００５４】
（第２の実施形態）
本実施形態において、基本的構成および機能は第１の実施形態の場合（図１から図３）と同様であるため、対応する部材及び処理には同一符号を付し、その説明は省略する。
【００５５】
本実施の形態の装置は、図６に示すように、指示キー４３Ｓの操作回数に応じて、設定紙幣金額Ｋｓｓを払出単位とする硬貨払出情報が生成可能に形成されており、当該硬貨払出情報を硬貨払出装置１００に送信可能に形成されていることを特徴とする。
【００５６】
また、本装置は、図５、図６に示すように締め操作後の所定の設定タイミングからの経過時間Ｔｋを算定可能に形成されており、経過時間Ｔｋがメモリ（ＨＤＤ４１）に予め登録された設定経過時間Ｔｓ以内であるか否かを判別可能に形成されているとともに、経過時間Ｔｋが設定経過時間Ｔｓを超える場合、紙幣分金額Ｋｔｓに関する硬貨払出情報が無効であるように形成されていることを特徴とする。
【００５７】
また、本装置は、図５に示すように指示キー４３Ｓが操作されるごとに、前記紙幣分金額Ｋｔｓと前記設定紙幣金額Ｋｓｓとを利用して紙幣分残額Ｋｔｓｚ（ｎ）（Ｋｔｓｚ（１）＝Ｋｔｓ−Ｋｓｓ、またはＫｔｓｚ（ｎ）＝Ｋｔｓｚ（ｎ−１）−Ｋｓｓ）を算出し、ＲＡＭ３３に更新可能に形成されていることを特徴とする。
【００５８】
以下に、本実施形態の商品販売データ処理装置の詳細を説明する。
【００５９】
かかる実施形態の商品販売データ処理装置は、図５、図６に示すように処理を実行する。
【００６０】
ここでは、ＳＴ１０〜１７の処理は前記第１の実施の形態と同様に行われる。このとき、締め操作が成されると（図５のＳＴ１４のＹＥＳ）、経過時間Ｔｋのカウントが開始される（ＳＴ１４Ａ）。
【００６１】
そして、ＳＴ１８〜２９の処理も基本的には前記第１の実施の形態と同様に行われる。
【００６２】
そして、本実施の形態の装置は、ドロワ７６内に釣銭用の紙幣分金額Ｋｔｓ（例えば、３０００円）相当の紙幣がない場合には、前述したように指示キー４３Ｓの操作回数に応じて、設定紙幣金額Ｋｓｓを払出単位とする硬貨払出情報が生成可能に形成されており、当該硬貨払出情報を硬貨払出装置１００に送信するように形成されている。
【００６３】
すなわち、本実施の形態の装置は、オペレータが釣銭金額Ｋｇ（例えば、３５００円）の紙幣分金額Ｋｔｓ（例えば、３０００円）について釣銭用紙幣の不足を確認すると、かかるタイミングより算定された経過時間Ｔｋ（例えば、１０秒）が設定経過時間Ｔｓ（例えば、３０秒）以内である場合（図６のＳＴ２０ＡのＹＥＳ）、指示キー４３Ｓは有効に機能するように形成されている。
【００６４】
なお、当該経過時間Ｔｋ（例えば、１分）が設定経過時間（例えば、３０秒）を越える場合（ＳＴ２０ＡのＮＯ）、指示キー４３Ｓの操作は無効となり、紙幣分金額Ｋｔｓの払出を催促する旨が表示されるように形成されている（ＳＴ２３）。これにより、本装置によれば、店員が誤って操作したために余剰の硬貨が払出されてしまうような事態を防止し、さらに当該硬貨が搾取されてしまうような不正も防止することができる。
【００６５】
そして、前記経過時間Ｔｋが、上記設定経過時間Ｔｓ（例えば、３０秒）内にあるときに、オペレータにより指示キー４３Ｓが操作されると、制御部３０が設定紙幣金額Ｋｓｓ（例えば、１０００円）を読み込み（ＳＴ２２）、設定紙幣金額に相当する金額の硬貨（例えば、５００円硬貨２枚）を払出す旨として硬貨払出情報が生成される。
【００６６】
そして、制御部３０は、紙幣分金額Ｋｔｓと今回払い出す設定紙幣金額Ｋｓｓ（例えば、１０００円）とを利用して紙幣分残額Ｋｔｓｚ（１）を算出（Ｋｔｓｚ（１）＝Ｋｔｓ−Ｋｓｓ）してＲＡＭ３３に更新記憶する（ＳＴ２２Ａ）。
【００６７】
そして、硬貨払出装置１００は当該硬貨払出情報を受信する毎に当該硬貨払出情報に従って設定紙幣金額Ｋｓｓ（例えば、１０００円）に相当する金額の硬貨（例えば、５００円硬貨２枚）を払出す（図８のＳＴ４２）。
【００６８】
このような、設定紙幣金額Ｋｓｓ（例えば、１０００円）に相当する金額の硬貨（例えば、５００円硬貨２枚）による釣銭の払い出しは、オペレータによる指示キー４３Ｓの操作により、前記紙幣分金額Ｋｔｓが全額払出されるまで（つまり紙幣分残額Ｋｔｓｚ（ｎ）＝０）繰り返し行われる。
【００６９】
すなわち、図６のＳＴ２４の処理で実行される硬貨払出情報に関する処理は、前記紙幣分金額Ｋｔｓが全額払出されるまで（つまり紙幣分残額Ｋｔｓｚ（ｎ）＝０）、オペレータが指示キー４３Ｓを操作するごとに行われる。釣銭金額Ｋｇ（例えば、３５００円）の紙幣分金額Ｋｔｓが例えば、３０００円の場合には、１０００円単位で３回繰り返し行われる。
【００７０】
具体的には、ＳＴ２２Ａの紙幣分残額Ｋｔｓｚのｎ回目以降の算出処理では、Ｋｔｓｚ（ｎ）を、前回の紙幣分残額Ｋｔｓｚ（ｎ−１）と当該設定紙幣金額Ｋｓｓとを利用して算出（Ｋｔｓｚ（ｎ）＝Ｋｔｓｚ（ｎ−１）−Ｋｓｓ）する。
【００７１】
そして、当該硬貨払出情報は前記紙幣分金額Ｋｔｓが全額払出されるまで（つまり紙幣分残額Ｋｔｓｚ（ｎ）＝０）、オペレータが指示キー４３Ｓを操作することにより繰り返して行われる。
【００７２】
このとき、ドロワ７６内に釣銭の一部として払出可能な釣銭用紙幣（例えば、１０００円紙幣１枚）が残っている場合、オペレータは当該釣銭用紙幣（例えば、１０００円紙幣１枚）を顧客に払出しつつ、不足分である紙幣分残額Ｋｔｓｚ（ｎ）（例えば、２０００円）に応じた回数（例えば、２回）分だけ指示キー４３Ｓを操作し、かかる操作に応じて生成された硬貨払出情報を受信した硬貨払出装置１００より払出された硬貨（例えば、５００円硬貨４枚）を顧客に手渡してもよい。
【００７３】
以上のように、本装置によれば、設定紙幣金額単位（例えば、１０００円単位）での払出が可能であるため、ドロワ内にある釣銭用紙幣を釣銭の一部として払出しつつ不足分を硬貨で代用して払出することができる。
【００７４】
特に本実施例の装置によれば、指示キー４３Ｓの操作回数に応じて、設定紙幣金額Ｋｓｓを払出単位とする硬貨払出情報が生成可能に形成されているので、釣銭準備金をより効率よく運用することができるともに、顧客の様々な払出要求に対応できるため適用性が広い。
【００７５】
なお、前記硬貨払出情報は、設定紙幣金額Ｋｓｓが１０００円で、かつ５００円硬貨２枚の組合せを払出す旨を含む情報として生成されるのが望ましい。
【００７６】
したがって、本装置によれば、払出硬貨の枚数を最小限に抑えることができるとともに、顧客は紙幣分金額を硬貨で払出されても納得しやすくなり、顧客の利用を促進することができる。
【００７７】
なお、本実施形態において、経過時間Ｔｋは締め操作の直後よりカウントされるものとして説明したが、これに限定されるものではない。締め操作後から任意のタイミングにおいて設定可能であるとする。
【００７８】
また、本実施形態において、経過時間Ｔｋが設定時間Ｔｓを超える場合において、硬貨払出情報を無効とするために指示キー４３Ｓを操作不可にするとしたが、これに限定されるものではない。例えば、生成された硬貨払出情報を送信不可とするように形成されていてもよい。
【００７９】
【発明の効果】
請求項１の発明にかかる商品販売データ処理装置によれば、釣銭金額のうちの紙幣分金額の一部または全部に相当する金額の硬貨を払出すための硬貨払出情報を生成可能に形成され、当該硬貨払出情報を硬貨払出装置に送信可能に形成されているので、釣銭用紙幣が不足する場合においても紙幣を補充することなく釣銭金額の払出しが可能である。すなわち、客は紙幣の補充を待たなくてもよく、オペレータは登録業務を停止させることなく精算を終了させることができる。結果として、円滑かつ迅速な顧客のチェックアウトが実現可能である。
【００８０】
また、硬貨払出情報が所定の設定紙幣金額に相当する金額の硬貨の払出情報として設定可能に形成されているので、設定紙幣金額単位での払出が可能であるため、ドロワ内にある釣銭用紙幣を払出しつつ不足分を硬貨で代用して払出することができるとともに、釣銭準備金を効率良く運用することができる。
【００８１】
さらに、締め操作終了後の所定の設定タイミングから算定した経過時間が設定経過時間外であると判別された場合に硬貨払出情報を無効とするように形成されているので、店員が誤って操作したために余剰の硬貨が払出されてしまうような事態を防止し、さらに当該硬貨が搾取されてしまうような不正も防止することができる。
【図面の簡単な説明】
【図１】  本発明の第１の実施形態を示すブロック図である。
【図２】  同じく、電子キャッシュレジスタの動作を説明するためのフローチャート（１）である。
【図３】  同じく、電子キャッシュレジスタの動作を説明するためのフローチャート（２）である。
【図４】  同じく、電子キャッシュレジスタの動作を説明するためのフローチャート（３）である。
【図５】  本発明の第２の実施形態に係る電子キャッシュレジスタの動作を説明するためのフローチャート（１）である。
【図６】  同じく、電子キャッシュレジスタの動作を説明するためのフローチャート（２）である。
【図７】  従来例の電子キャッシュレジスタの動作を説明するためのフローチャートである。
【図８】  硬貨払出装置の動作を説明するためのフローチャートである。
【符号の説明】
１０  電子キャッシュレジスタ（商品販売データ処理装置）
２０  パーソナルコンピュータ（パソコン）
３０  制御部
４３  キーボード
４３Ｓ  指示キー（預り／現計キー）
７６  ドロワ
１００  硬貨払出装置
２００  通信用ケーブル
【図１】
0003767797.tif 000002
【図２】
0003767797.tif 000003
【図３】
0003767797.tif 000004
【図４】
0003767797.tif 000005
【図５】
0003767797.tif 000006
【図６】
0003767797.tif 000007
【図７】
0003767797.tif 000008
【図８】
0003767797.tif 000009